(57)【要約】      （修正有）【課題】プリアンブルの衝突発生時の処理を容易化し、他の端末への干渉を回避する方法の提供。【解決手段】ランダムアクセスにおいて、端末の特定のためのシグネチャ数を増やし、シグネチャをグループとパーソナルに分離し、プリアンブル送信に対して基地局からのＡＩＣＨ（Ａｃｃｅｓｓ  Ｉｎｄｉｃａｔｏｒ  Ｃｈａｎｎｅｌ）の応答がない場合のプリアンブル再送時、プリアンブルの送信パワーを上げるパワーランプ制御の代わりに、プリアンブルの送信の繰り返し数を増やす制御を行う。回線の状態が良い場合、グループおよびパーソナルのシグネチャのプリアンブルの両方を処理し、回線状態が良くない場合には、まず、グループのシグネチャを処理し、引き続いて、パーソナルのシグネチャの処理を行う。【選択図】図２
2007266733.tif 000002
【特許請求の範囲】
【請求項１】
ランダムアクセス・トランスミッションに際し、無線端末が送信したプリアンブルに対してアクイジションインジケータ（Ａｃｑｕｉｓｉｔｉｏｎ  Ｉｎｄｉｃａｔｏｒ）を受信しない場合、プリアンブルの送信パワーを上げるパワーランプ制御の代わりに、プリアンブルの送信の繰り返し回数を増やす制御を行う、ことを特徴とするランダムアクセス方法。
【請求項２】
プリアンブルを構成するシグネチャとして、パーソナル・シグネチャと、複数のパーソナル・シグネチャに対して共通に１つ割り当てられるグループ・シグネチャとを設け、
前記無線端末による、グループ・シグネチャとパーソナル・シグネチャの両方を含むパターンのプリアンブルの送信に対して、前記無線基地局から、前記グループ・シグネチャとパーソナル・シグネチャに両方に対応するＡＩＣＨ（Ａｃｑｕｉｓｉｔｉｏｎ  Ｉｎｄｉｃａｔｏｒ  Ｃｈａｎｎｅｌ）の肯定応答（ＡＣＫ）を受信した場合、前記無線端末は、ランダムアクセス・メッセージを送信し、
前記無線基地局から、前記グループ・シグネチャのみに対応するＡＩＣＨを受信した場合に、前記無線端末は、パーソナル・シグネチャのみを含むプリアンブルを送信し、
前記パーソナル・シグネチャのみを含むプリアンブルの送信に対応するＡＩＣＨの肯定応答を、前記無線基地局から受信した場合に、前記無線端末は、ランダムアクセス・メッセージを送信する、ことを特徴とする請求項１記載のランダムアクセス方法。
【請求項３】
前記無線端末は、予め用意された、グループ・シグネチャとパーソナル・シグネチャを含むプリアンブルの送信に対して、ＡＩＣＨを受信しない場合、グループ・シグネチャのみを含むプリアンブルを送信する、ことを特徴とする請求項２記載のランダムアクセス方法。
【請求項４】
前記無線端末は、前記グループ・シグネチャのみを含むプリアンブルの送信を行い、前記無線基地局から、前記グループ・シグネチャのプリアンブルに対応するＡＩＣＨを受信しない場合、最大許容値以内であれば、パワーを上げて、グループ・シグネチャのみを含むプリアンブル・パターンを再送する、ことを特徴とする請求項３記載のランダムアクセス方法。
【請求項５】
プリアンブルを構成するシグネチャとして、パーソナル・シグネチャと、複数のパーソナル・シグネチャに対して共通に１つ割り当てられるグループ・シグネチャと、を設け、
無線端末は、ランダムアクセス・トランスミッションに際し、まず、グループ・シグネチャとパーソナル・シグネチャとを含む一のプリアンブル・パターンを送信し、
前記無線端末は、前記一のプリアンブル・パターンの送信に対して、前記無線基地局からＡＩＣＨ（Ａｃｑｕｉｓｉｔｉｏｎ  Ｉｎｄｉｃａｔｏｒ  Ｃｈａｎｎｅｌ）を受信しない場合、プリアンブルの送信パワーを上げるパワーランプ制御の代わりに、グループ・シグネチャ及びパーソナル・シグネチャの数を、前記一のプリアンブル・パターンよりも多くしてなる別のプリアンブル・パターンを送信し、
用意されたグループ・シグネチャとパーソナル・シグネチャとを含むプリアンブル・パターンのいずれに対しても、前記無線基地局からＡＩＣＨを受信しない場合のプリアンブル再送時には、プリアンブルの送信パワーを上げるパワーランプ制御の代わりに、グループ・シグネチャの数をさらに増やしてなる、グループ・シグネチャのみのプリアンブル・パターンを送信する、ことを特徴とするランダムアクセス方法。
【請求項６】
前記無線端末は、用意されたグループ・シグネチャのみのプリアンブル・パターンの送信に対して、前記無線基地局から対応するＡＩＣＨを受信しない場合のプリアンブル再送時に、パワーが最大許容値を超えない場合、グループ・シグネチャのみのプリアンブル・パターンをパワーを上げて送信する、ことを特徴とする請求項５記載のランダムアクセス方法。
【請求項７】
前記グループ・シグネチャとパーソナル・シグネチャとを含むプリアンブル・パターンには、グループ・シグネチャがパーソナル・シグネチャよりも多く含まれる、ことを特徴とする請求項２又は５記載のランダムアクセス方法。
【請求項８】
前記無線端末は、前記グループ・シグネチャとパーソナル・シグネチャとを含むプリアンブル・パターンの送信に対して、前記無線基地局から、前記グループ・シグネチャとパーソナル・シグネチャに対応するＡＩＣＨの肯定応答（ＡＣＫ）を受信した場合、ランダムアクセス・メッセージを送信する、ことを特徴とする請求項５記載のランダムアクセス方法。
【請求項９】
前記無線端末は、前記グループ・シグネチャとパーソナル・シグネチャとを含むプリアンブル・パターンの送信に対して、前記無線基地局から、前記グループ・シグネチャのＡＩＣＨを受信した場合、パーソナル・シグネチャのみを含むプリアンブル・パターンを送信する、ことを特徴とする請求項５記載のランダムアクセス方法。
【請求項１０】
前記パーソナル・シグネチャのみを含むプリアンブル・パターンの送信に対して、前記無線基地局から、ＡＩＣＨの肯定応答（ＡＣＫ）を受信した場合、前記無線端末は、ランダムアクセス・メッセージを送信する、ことを特徴とする請求項９記載のランダムアクセス方法。
【請求項１１】
前記無線端末からのプリアンブル送信を受ける無線基地局において、グループ・シグネチャとパーソナル・シグネチャのそれぞれの相関値を計算し、グループ・シグネチャの相関値とパーソナル・シグネチャの相関値がそれぞれ予め定めた第１及び第２の閾値以上である場合、プリアンブル・パターンに対応して、グループ・シグネチャ及びパーソナル・シグネチャに対応するＡＩＣＨを前記無線端末に返す、ことを特徴とする請求項５記載のランダムアクセス方法。
【請求項１２】
前記無線基地局において、前記グループ・シグネチャの相関値が前記第１の閾値より大であり、前記パーソナル・シグネチャの相関値が第２の閾値より小の場合、グループ・シグネチャに対応するＡＩＣＨを前記無線端末に返す、ことを特徴とする請求項１１記載のランダムアクセス方法。
【請求項１３】
前記無線基地局において、グループ・シグネチャの相関値が第３の閾値よりも大の場合、別のタイミングで相関値を求め、前記相関値が第３の閾値より大きい場合、グループ・シグネチャのみのプリアンブル・パターンに対応するＡＩＣＨを前記無線端末に返す、ことを特徴とする請求項１１記載のランダムアクセス方法。
【請求項１４】
前記無線端末は、前記パーソナル・シグネチャのみを含むプリアンブル・パターンを、前記グループ・シグネチャとパーソナル・シグネチャとを含むプリアンブル・パターンの送信タイミングとは別のタイミングで、又は、周波数を変更して、送信する、ことを特徴とする請求項２又は９記載のランダムアクセス方法。
【請求項１５】
前記無線端末は、前記グループ・シグネチャのみを含むプリアンブル・パターンの送信を行い、前記無線基地局から、前記グループ・シグネチャのプリアンブルに対応するＡＩＣＨを受信しない場合、周波数を変えて、グループ・シグネチャのみを含むプリアンブル・パターンを再送する、ことを特徴とする請求項３記載のランダムアクセス方法。
【請求項１６】
ランダムアクセス・トランスミッションに際して、送信したプリアンブルに対する、無線基地局からのＡＩＣＨ（Ａｃｑｕｉｓｉｔｉｏｎ  Ｉｎｄｉｃａｔｏｒ  Ｃｈａｎｎｅｌ）を受信しない場合のプリアンブル再送時、プリアンブルの送信パワーを上げるパワーランプ制御の代わりに、プリアンブルの送信の繰り返し数を増やす制御を行う、ことを特徴とする無線端末。
【請求項１７】
プリアンブルを構成するシグネチャとして、パーソナル・シグネチャと、複数のパーソナル・シグネチャに対して共通に割り当てられるグループ・シグネチャとを設け、
グループ・シグネチャとパーソナル・シグネチャを含むプリアンブル・パターンの送信に対して、前記無線基地局からグループ・シグネチャとパーソナル・シグネチャの両方のプリアンブルに対応するＡＩＣＨの肯定応答（ＡＣＫ）を受信した場合、ランダムアクセス・メッセージを送信し、
前記無線基地局から、グループ・シグネチャのプリアンブルに対応するＡＩＣＨの肯定応答を受信した場合には、パーソナル・シグネチャのみを含むプリアンブル・パターンの送信を行い、
前記パーソナル・シグネチャのみを含むプリアンブル・パターンの送信に対応するＡＩＣＨの肯定応答を、前記無線基地局から受信した場合に、前記無線端末は、ランダムアクセス・メッセージを送信する、ことを特徴とする請求項１６記載の無線端末。
【請求項１８】
予め用意された、グループ・シグネチャとパーソナル・シグネチャを含むプリアンブルのパターンの送信に対して、前記無線基地局から対応するＡＩＣＨを受信しない場合、グループ・シグネチャのみを含むプリアンブル・パターンを送信する、ことを特徴とする請求項１７記載の無線端末。
【請求項１９】
グループ・シグネチャのみを含むプリアンブル・パターンの送信を行い、前記無線基地局から、前記グループ・シグネチャのプリアンブルに対応するＡＩＣＨを受信しない場合、最大許容値以内であれば、パワーを上げて、グループ・シグネチャのみを含むプリアンブル・パターンを再送する、ことを特徴とする請求項１７記載の無線端末。
【請求項２０】
プリアンブルを構成するシグネチャとして、パーソナル・シグネチャと、複数のパーソナル・シグネチャに対して共通に割り当てられるグループ・シグネチャとを設け、
ランダムアクセス・トランスミッションに際し、まず、グループ・シグネチャとパーソナル・シグネチャとを含む一のプリアンブル・パターンを送信し、
前記一のプリアンブル・パターンの送信に対して、無線基地局からＡＩＣＨ（Ａｃｑｕｉｓｉｔｉｏｎ  Ｉｎｄｉｃａｔｏｒ  Ｃｈａｎｎｅｌ）を受信しない場合、プリアンブルの送信パワーを上げるパワーランプ制御の代わりに、グループ・シグネチャ及びパーソナル・シグネチャの数を、前記一のプリアンブル・パターンよりも多くしてなる別のプリアンブル・パターンを送信し、
用意されたグループ・シグネチャとパーソナル・シグネチャとを含むプリアンブル・パターンのいずれに対しても、前記無線基地局からＡＩＣＨを受信しない場合のプリアンブル再送時には、プリアンブルの送信パワーを上げるパワーランプ制御の代わりに、グループ・シグネチャの数をさらに増やしてなる、グループ・シグネチャのみのプリアンブル・パターンを送信する、制御を行う、ことを特徴とする無線端末。
【請求項２１】
用意されたグループ・シグネチャのみのプリアンブル・パターンの送信に対して、前記無線基地局からＡＩＣＨを受信しない場合のプリアンブル再送時に、パワーが最大許容値を超えない場合、グループ・シグネチャのみのプリアンブル・パターンをパワーを上げて送信する、ことを特徴とする請求項２０記載の無線端末。
【請求項２２】
前記グループ・シグネチャとパーソナル・シグネチャとを含むプリアンブル・パターンには、グループ・シグネチャがパーソナル・シグネチャよりも多く含まれる、ことを特徴とする請求項１７又は２０記載の無線端末。
【請求項２３】
前記グループ・シグネチャとパーソナル・シグネチャとを含むプリアンブル・パターンの送信に対して、前記無線基地局から、前記グループ・シグネチャとパーソナル・シグネチャのプリアンブルに対応するＡＩＣＨの肯定応答（ＡＣＫ）を受信した場合、ランダムアクセス・メッセージを送信する、ことを特徴とする請求項２０記載の無線端末。
【請求項２４】
前記グループ・シグネチャとパーソナル・シグネチャとを含むプリアンブル・パターンの送信に対して、前記無線基地局から、前記グループ・シグネチャに対応するＡＩＣＨの肯定応答（ＡＣＫ）を受信した場合、パーソナル・シグネチャのみを含むプリアンブル・パターンを送信する、ことを特徴とする請求項２０記載の無線端末。
【請求項２５】
前記パーソナル・シグネチャのみを含むパターンのプリアンブルを送信に対して、前記無線基地局からＡＩＣＨの肯定応答（ＡＣＫ）を受信した場合、前記無線端末は、ランダムアクセス・メッセージを送信する、ことを特徴とする請求項２４記載の無線端末。
【請求項２６】
前記パーソナル・シグネチャのみを含むプリアンブル・パターンを、前記グループ・シグネチャとパーソナル・シグネチャとを含むプリアンブル・パターンの送信タイミングとは別のタイミングで、又は、周波数を変更して、送信する、ことを特徴とする請求項１７又は２４記載の無線端末。
【請求項２７】
前記グループ・シグネチャのみを含むプリアンブル・パターンの送信を行い、前記無線基地局から、前記グループ・シグネチャのプリアンブルに対応するＡＩＣＨを受信しない場合、周波数を変えて、グループ・シグネチャのみを含むプリアンブル・パターンを再送する、ことを特徴とする請求項２０記載の無線端末。
【請求項２８】
請求項２０乃至２７のいずれか一に記載の前記無線端末からのプリアンブル送信を受ける無線基地局において、
グループ・シグネチャとパーソナル・シグネチャのそれぞれの相関値を計算し、グループ・シグネチャの相関値とパーソナル・シグネチャの相関値がそれぞれ予め定めた第１及び第２の閾値以上である場合、プリアンブル・パターンに対応して、グループ・シグネチャ及びパーソナル・シグネチャに対応するＡＩＣＨを前記無線端末に返す、ことを特徴とする無線基地局。
【請求項２９】
前記グループ・シグネチャの相関値が前記第１の閾値より大であり、前記パーソナル・シグネチャの相関値が第２の閾値より小の場合、グループ・シグネチャに対応するＡＩＣＨを前記無線端末に返す、ことを特徴とする請求項２８記載の無線基地局。
【請求項３０】
グループ・シグネチャの相関値が第３の閾値よりも大の場合、別のタイミングで相関値を求め、前記相関値が第３の閾値より大きい場合、グループ・シグネチャのみのプリアンブル・パターンに対応するＡＩＣＨを前記無線端末に返す、ことを特徴とする請求項２８記載の無線基地局。
【請求項３１】
請求項１６乃至２７のいずれか一に記載の無線端末を備えた無線通信システム。
【請求項３２】
請求項２８乃至３０のいずれか一に記載の無線基地局を備えた無線通信システム。
【発明の詳細な説明】
【技術分野】
【０００１】
本発明は、移動体無線通信システムに関し、特に、ＲＡＣＨ（ランダムアクセスチャネル）伝送技術に関する。
【背景技術】
【０００２】
共通アップリンク物理チャネル（ｃｏｍｍｏｎ  ｕｐｌｉｎｋ  ｐｈｙｓｉｃａｌ  ｃｈａｎｎｅｌ）におけるランダムアクセス・トランスミッション（ｒａｎｄｏｍ  ａｃｃｅｓｓ  ｔｒａｎｓｍｉｓｓｉｏｎ）では、５１２０チップ（ｃｈｉｐ）離れた２フレーム毎に１５のアクセススロットがあり、ランダムアクセス送信は１つ又は何個かのプリアンブル（Ｐｒｅａｍｂｌｅ）（長さ４０９６チップ）と、１つのメッセージ（Ｍｅｓｓａｇｅ）（長さ１０ｍｓ又は２０ｍｓ）よりなる。各プリアンブルは長さ１６チップのシグネチャ（ｓｉｇｎａｔｕｒｅ）を２５６回繰り返して構成され、１６個のシグネチャが利用可能である（非特許文献１参照）。
【０００３】
無線端末であるＵＥ（Ｕｓｅｒ  Ｅｑｕｉｐｍｅｎｔ）からの物理ランダムアクセス手順は概略以下の通りである（非特許文献２参照）。
【０００４】
１．  アップリンクスロットを選択する。
２．  与えられたアクセスサービスクラス（ＡＳＣ）内で利用可能なシグネチャの組の中からランダムにシグネチャを選択する。
【０００５】
３．  プリアンブル再送カウンタを最大値に設定する。
【０００６】
４．  プリアンブルパワーを初期値に設定する。
【０００７】
５．  プリアンブルパワーが最大許容値を超えない場合、プリアンブルを、選択したアップリンクスロット、シグネチャ、プリアンブル送信パワーを用いて送信する。
【０００８】
６．  選択したシグネチャに対応する正又は負のアクイジションインジケータ（Ａｃｑｕｉｓｉｔｉｏｎ  Ｉｎｄｉｃａｔｏｒ）が、選択したアップリンクスロットに対応するダウンリンクスロットに１つも検出できない場合、
６．１  与えられたＡＳＣ内の利用可能なＲＡＣＨサブチャネルの組において利用可能な次のアクセスを選択する。
【０００９】
６．２  ＡＳＣ内で利用可能なシグネチャから新しいシグネチャをランダムに選択する。
【００１０】
６．３  プリアンブルの送信パワーをパワーランプステップ分上げる。ここで、パワーが最大許容パワーを６ｄＢ超えたら、ＵＥは、Ｌ１状態（ＡＩＣＨ（Ａｃｑｕｉｓｉｔｉｏｎ  Ｉｎｄｉｃａｔｏｒ  Ｃｈａｎｎｅｌ）のＡｃｋ応答無し）を上位層に伝える。
【００１１】
６．４  プリアンブル再送カウンタを１つ減じる。
【００１２】
６．５  プリアンブル再送カウンタの値＞０の場合、ステップ５から繰り返し、他の場合、状態Ｌ１（ＡＩＣＨのＡｃｋ応答無し）を上位層（ＭＡＣ）に伝え、物理ランダムアクセス手順を退出する。
【００１３】
７．  選択したアップリンクスロットに対応するダウンリンクスロットに、選択したシグネチャに対応する負のアクイジションインジケータ（ＡＩ＝−１）が検出された場合、Ｌ１状態（ＡＩＣＨのＮａｃｋ受信）を上位層（ＭＡＣ）に伝え、物理ランダムアクセス手順を退出する。
【００１４】
８．  選択したアップリンクスロットに対応するダウンリンクスロットに、選択したシグネチャに対応する正のアクイジションインジケータ（ＡＩ＝＋１）が検出された場合、ＡＩＣＨ送信タイミングパラメータにしたがって、最後に送信したプリアンブルのアップリンクアクセスのあと、３つか４つのアクセススロットでランダムアクセス・メッセージを送信する。なお、ランダムアクセス・メッセージのコントロール部の送信パワーは、最後に送信したプリアンブルのパワーよりも所定量（Ｐｐ−ｍ［ｄＢ］）高くする。
【００１５】
９．  状態Ｌ１（”ＲＡＣＨメッセージ送信”）を上位層へ伝え、物理ランダムアクセス手順を退出する。
【００１６】
なお、特許文献１には、ランダムアクセスチャネルにおけるアクセスリソース（スロットとプリアンブル・シグネチャで定義され、２個の無線フレーム内に最大１５個のタイムスロットと１６個のプリアンブル・シグネチャを有し、合成で２４０個のアクセスリソースを使用することができる）を効率的に且つ柔軟にアクセスしデータを送信する方法として、複数のアクセスリソースを、それぞれ異なるアクセス確率を有する異なるサービスクラスに対応して複数のアクセスリソースグループに分け、現在割り当てられているアクセスサービスクラスに対応するアクセスリソースグループから、アクセスリソースをランダムに選択する手段と、ランダムに選択されたアクセスリソースを用いてランダムアクセスバーストを送信する手段と、上記現在のアクセスサービスクラスを他のアクセスサービスクラスに変更するイベントを検出する検出手段を備えた構成が開示されている。
【００１７】
また、プリアンブルの送信制御として、特許文献２には、無線伝播環境の時間変化に応じて伝送路応答算出用プリアンブルの送出頻度を変え、伝送路の変動が大きい場合、伝送路応答算出用プリアンブルの送出頻度を増加させ、伝送路の変動が小さい場合、伝送路応答算出用プリアンブルの送出頻度を減少させデータの伝送効率を向上させる構成が開示されている。
【００１８】
【特許文献１】特開２００２−１６９７９号公報
【特許文献２】特開２００２−２９０２９５号公報
【非特許文献１】ＡＲＩＢ  ＳＴＤ−Ｔ６３−２５．２１１  Ｖ３．１１．０  Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  Ｐｈｙｓｉｃａｌ  ｃｈａｎｎｅｌｓ  （ＦＤＤ），    （ｒｅｌｅａｓｅ  １９９９），  ”５．２．２．１  Ｐｈｙｓｉｃａｌ  Ｒａｎｄｏｍ  Ａｃｃｅｓｓ  Ｃｈａｎｎｅｌ（ＰＲＡＣＨ）”  第１２−１３ページ
【非特許文献２】３ＧＰＰ  ＴＳ  ２５．２１４  Ｖ５．０．０（２００２−０３）  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  ｌａｙｅｒ  ｐｒｏｃｅｄｕｒｅ（ＦＤＤ）  （Ｒｅｌｅａｓ  ５），  ”６．１  Ｐｈｙｓｉｃａｌ  ｒａｎｄｏｍ  ａｃｃｅｓｓ  ｐｒｏｃｅｄｕｒｅ”  第３０−３１頁
【発明の開示】
【発明が解決しようとする課題】
【００１９】
上記した従来のランダムアクセス手順では、プリアンブルでアクセスの衝突が発生しても、その時点で判断できず、メッセージを通してＣＲＣ（Ｃｙｃｌｉｃ  Ｒｅｄｕｎｄａｎｃｙ  ｃｈｅｃｋ）のＮＧ（エラー）を検出するまで、衝突の発生を認識できない。
【００２０】
また、ＡＩＣＨの応答がない場合のプリアンブル再送時のプリアンブルのパワーランピング（Ｐｏｗｅｒ  ｒａｍｐｉｎｇ）のために、他ユーザに対する干渉が増加する、という問題もある。
【００２１】
したがって、本発明の目的は、プリアンブルの衝突発生時の処理を容易化し、他の端末への干渉を回避するシステムと方法を提供することにある。
【課題を解決するための手段】
【００２２】
本願で開示される発明は、前記課題を解決するため、概略以下の構成とされる。
【００２３】
本発明に係る方法は、前記端末が送信したプリアンブルに対する、無線基地局（Ｎｏｄｅ−Ｂ）からのＡＩＣＨ（Ａｃｃｅｓｓ  Ｉｎｄｉｃａｔｏｒ  Ｃｈａｎｎｅｌ）を受信しない場合のプリアンブル再送時、プリアンブルの送信パワーを上げるパワーランプ制御の代わりに、プリアンブルの送信の繰り返し数を増やす制御を行う、ことを特徴とする。
【００２４】
本発明に係る方法は、プリアンブルを構成するシグネチャとして、パーソナル・シグネチャと、複数のパーソナル・シグネチャに対して共通に１つ割り当てられるグループ・シグネチャと、を設け、前記無線端末による、グループ・シグネチャとパーソナル・シグネチャを含むプリアンブル・パターンの送信に対して、前記無線端末は、前記無線基地局からグループ・シグネチャとパーソナル・シグネチャの両方に対応するＡＩＣＨの肯定応答を受信した場合、ランダムアクセス・メッセージを送信し、前記無線基地局からグループ・シグネチャに対応するＡＩＣＨを受信した場合には、パーソナル・シグネチャのプリアンブルの送信を行い、前記パーソナル・シグネチャのプリアンブル送信に対応するＡＩＣＨの肯定応答（ＡＣＫ）を受信した場合、ランダムアクセス・メッセージを送信する。
【００２５】
本発明に係る方法においては、前記無線端末は、予め用意された、グループ・シグネチャとパーソナル・シグネチャを含むプリアンブルの送信に対して前記無線基地局から対応するＡＩＣＨを受信しない場合、グループ・シグネチャのみを含むパターンのプリアンブルを送信する。
【００２６】
本発明に係る方法において、前記無線端末は、グループ・シグネチャのみを含むプリアンブル・パターンの送信を行い、前記無線基地局から、前記グループ・シグネチャのプリアンブルに対応するＡＩＣＨ（Ａｃｑｕｉｓｉｔｉｏｎ  Ｉｎｄｉｃａｔｏｒ  Ｃｈａｎｎｅｌ）を受信しない場合、最大許容値以内であれば、パワーを上げて、グループ・シグネチャのみを含むプリアンブル・パターンを再送する。
【００２７】
本発明に係る方法は、プリアンブルを構成するシグネチャとして、パーソナル・シグネチャと、複数のパーソナル・シグネチャに対して共通に１つ割り当てられるグループ・シグネチャと、を設け、
無線端末は、ランダムアクセス・トランスミッションに際し、まず、グループ・シグネチャとパーソナル・シグネチャとを含む一のプリアンブル・パターンを送信し、
前記無線端末は、前記一のプリアンブル・パターンの送信に対する、前記無線基地局からのＡＩＣＨ（Ａｃｑｕｉｓｉｔｉｏｎ  Ｉｎｄｉｃａｔｏｒ  Ｃｈａｎｎｅｌ）を受信しない場合、プリアンブルの送信パワーを上げるパワーランプ制御の代わりに、グループ・シグネチャ及びパーソナル・シグネチャの数を、前記一のプリアンブル・パターンよりも多くしてなる別のプリアンブル・パターンを送信し、
用意されたグループ・シグネチャとパーソナル・シグネチャとを含むプリアンブル・パターンのいずれに対しても、前記無線基地局からＡＩＣＨを受信しない場合のプリアンブル再送時には、プリアンブルの送信パワーを上げるパワーランプ制御の代わりに、プリアンブルの繰り返し回数をさらに増やしてなる、グループ・シグネチャのみのプリアンブル・パターンを送信する。
【００２８】
本発明に係る方法において、前記無線端末は、用意されたグループ・シグネチャのみのプリアンブル・パターンの送信に対して、前記無線基地局からアクイジションインジケータを受信しない場合のプリアンブル再送時に、パワーが最大許容値を超えない場合、グループ・シグネチャのみのプリアンブル・パターンをパワーを上げて送信する。
【００２９】
本発明に係る方法において、前記グループ・シグネチャとパーソナル・シグネチャとを含むプリアンブル・パターンには、グループ・シグネチャの方がパーソナル・シグネチャよりも多く含まれる。
【００３０】
本発明に係る方法において、前記無線端末は、前記グループ・シグネチャとパーソナル・シグネチャとを含むプリアンブル・パターンの送信に対して、前記無線基地局から前記グループ・シグネチャとパーソナル・シグネチャのプリアンブルに対応する各スロットにアクイジションインジケータの肯定応答（ＡＩＣＨ  ＡＣＫ）を受信した場合、ランダムアクセス・メッセージを送信する。
【００３１】
本発明に係る方法において、前記無線端末は、前記グループ・シグネチャとパーソナル・シグネチャとを含むプリアンブル・パターンの送信に対して、前記無線基地局から、前記グループ・シグネチャのプリアンブルに対応するＡＩＣＨを受信した場合、パーソナル・シグネチャのみを含むプリアンブル・パターンを送信する。
【００３２】
本発明に係る方法において、前記パーソナル・シグネチャのみを含むプリアンブル・パターンの送信に対して、前記無線基地局から前記パーソナル・シグネチャに対応する各スロットにアクイジションインジケータの肯定応答（ＡＩＣＨ  ＡＣＫ）を受信した場合、前記無線端末は、ランダムアクセス・メッセージを送信する。
【００３３】
本発明に係る方法において、前記無線端末からのプリアンブル送信を受ける無線基地局において、グループ・シグネチャとパーソナル・シグネチャのそれぞれの相関値を計算し、グループ・シグネチャの相関値とパーソナル・シグネチャの相関値がそれぞれ予め定めた第１及び第２の閾値以上である場合、プリアンブル・パターンに対応して、グループ・シグネチャ及びパーソナル・シグネチャのプリアンブル・パターンに対応するＡＩＣＨパターンを前記無線端末に返す。
【００３４】
本発明に係る方法において、前記無線基地局において、前記グループ・シグネチャの相関値が前記第１の閾値より大であり、前記パーソナル・シグネチャの相関値が第２の閾値より小の場合、グループ・シグネチャに対応する各スロットにアクイジションインジケータの肯定応答を含むパターンのＡＩＣＨ（Ａｃｑｕｉｓｉｔｉｏｎ  Ｉｎｄｉｃａｔｏｒ  Ｃｈａｎｎｅｌ）パターンを返す。
【００３５】
本発明に係る方法において、前記無線基地局において、グループ・シグネチャの相関値が第３の閾値よりも大の場合、別のタイミングで相関値を求め、前記相関値が第３の閾値より大きい場合、グループ・シグネチャのみのプリアンブル・パターンに対応するＡＩＣＨパターンを返す。
【００３６】
本発明に係る無線端末は、ランダムアクセス・トランスミッションに際して、無線端末が送信したプリアンブルに対する、無線基地局からのＡＩＣＨ（Ａｃｃｅｓｓ  Ｉｎｄｉｃａｔｏｒ  Ｃｈａｎｎｅｌ）を受信しない場合のプリアンブル再送時、プリアンブルの送信パワーを上げるパワーランプ制御の代わりに、プリアンブルの送信の繰り返し数を増やす制御を行う。本発明は、プリアンブルを構成するシグネチャに、グループ・シグネチャとパーソナル・シグネチャを設け、グループ・シグネチャとパーソナル・シグネチャとを含むプリアンブルのパターンを送信し、前記グループ・シグネチャとパーソナル・シグネチャとを含むプリアンブル送信に対して、無線基地局からのＡＩＣＨ（Ａｃｃｅｓｓ  Ｉｎｄｉｃａｔｏｒ  Ｃｈａｎｎｅｌ）を受信しない場合のプリアンブル再送時、グループ・シグネチャとパーソナル・シグネチャとを含む別のプリアンブルのパターンを送信し、用意したグループ・シグネチャとパーソナル・シグネチャとを含む別のプリアンブルのパターンに対して、無線基地局からＡＩＣＨ（Ａｃｃｅｓｓ  Ｉｎｄｉｃａｔｏｒ  Ｃｈａｎｎｅｌ）を受信しない場合のプリアンブル再送時、グループ・シグネチャのみのプリアンブル・パターンを送信する。
【００３７】
本発明に係る無線端末においては、前記プリアンブル・パターンのうちグループ・シグネチャを最も多く含むプリアンブルのパターンの送信に対しても、無線基地局からＡＩＣＨ（Ａｃｃｅｓｓ  Ｉｎｄｉｃａｔｏｒ  Ｃｈａｎｎｅｌ）を受信しない場合のプリアンブル再送時には、パワーが最大許容値を超えない場合、グループ・シグネチャを最も多く含むプリアンブルのパターンをパワーを上げて送信する。本発明に係る無線端末においては、前記パターンには、グループ・シグネチャはパーソナル・シグネチャよりも多く含まれる。
【００３８】
本発明に係る無線端末においては、前記グループ・シグネチャとパーソナル・シグネチャとを含むプリアンブル送信に対して、無線基地局から受信したＡＩＣＨが、前記グループ・シグネチャとパーソナル・シグネチャに対するＡＣＫ応答を含むパターンの場合、ランダムアクセス・メッセージを送信する。
【００３９】
本発明に係る無線端末においては、前記グループ・シグネチャとパーソナル・シグネチャとを含むパターンのプリアンブル送信に対して、無線基地局から受信したＡＩＣＨが、前記グループ・シグネチャに対するＡＣＫ応答を含むパターンの場合、パーソナル・シグネチャのみを含むパターンのプリアンブルを送信する。
【００４０】
本発明に係る無線端末においては、前記パーソナル・シグネチャのみを含むパターンのプリアンブルを送信に対して、無線基地局からのＡＩＣＨのＡＣＫ応答を受信した場合、端末は、ランダムアクセス・メッセージを送信する。
【００４１】
本発明によれば、前記無線端末からのプリアンブル送信を受ける無線基地局として、グループ・シグネチャとパーソナル・シグネチャの相関値を計算し、グループ・シグネチャの相関値とパーソナル・シグネチャの相関値がそれぞれ第１、第２の閾値以上である場合、プリアンブルのパターンに対応して、グループ・シグネチャ、パーソナル・シグネチャに対応するＡＩＣＨのＡＣＫ応答のパターンを端末に返し、グループ・シグネチャの相関値が第１の閾値より大の場合、グループ・シグネチャを特定する、ことを特徴とする無線基地局が提供される。
【００４２】
本発明に係る無線基地局において、グループ・シグネチャの相関値が前記第１の閾値より大でありパーソナル・シグネチャの相関値が第２の閾値より小の場合、グループ・シグネチャのＡＩＣＨの応答パターンを返す。
【００４３】
本発明に係る無線基地局において、グループ・シグネチャの相関値が第３の閾値よりも大の場合、別のタイミングで相関値を求め、前記相関値が第３の閾値より大きい場合、グループ・シグネチャのみのプリアンブル・パターンに対応するＡＩＣＨのＡＣＫ応答のパターンを端末に返す。
【００４４】
本発明は、ランダムアクセスにおいて、端末の特定のためのシグネチャ数を増やし、シグネチャを、グループとパーソナルに分離し、プリアンブル送信に対して無線基地局からのＡＩＣＨの応答がない場合のプリアンブル再送時、プリアンブルの送信パワーを上げるパワーランプ制御の代わりに、プリアンブルの送信の繰り返し数を増やす制御を行う。本発明においては、回線状態の良好な場合、グループ・シグネチャおよびパーソナルのシグネチャを両方処理し、回線状態が良くない場合には、まず、グループ・シグネチャを処理し、続いて、パーソナルのシグネチャの処理を行う。
【発明の効果】
【００４５】
本発明によれば、端末を特定するシグネチャを、グループとパーソナルに分離することにより、プリアンブルの衝突が発生したときでも、グループの特定までを容易化する。
【００４６】
また、本発明によれば、ＡＩＣＨの応答がない場合のプリアンブル再送時、プリアンブルの送信パワーを上げるパワーランプ制御の代わりに、プリアンブルの送信の繰り返し数を増やすことで、干渉等を抑制することができる。
【発明を実施するための最良の形態】
【００４７】
上記した本発明について更に詳細に説述すべく、添付図面を参照して以下に説明する。本発明は、ランダムアクセストランスミッションに際して端末より送信されるプリアンブルを構成するシグネチャ（Ｓｉｇｎａｔｕｒｅ）を、グループ（Ｇｒｏｕｐ）と、パーソナル（Ｐｅｒｓｏｎａｌ）に分離し、プリアンブルのパワーランピング制御の代わりに、プリアンブルの送信の繰り返し回数を増加させる制御を行う。グループ・シグネチャは、例えば１６のパーソナル・シグネチャよりなるグループに１つ割り当てられる。
【００４８】
無線端末（ＵＥ）は、ランダムアクセス・トランスミッション（ｒａｎｄｏｍ  ａｃｃｅｓｓ  ｔｒａｎｓｍｉｓｓｉｏｎ）のプリアンブルの送信時、まず、グループ・シグネチャとパーソナル・シグネチャを含むプリアンブル・パターン（図１の（ａ）のＰｒｅａｍｂｌｅ１参照）を送信し、該プリアンブル・パターンの送信に対して、無線基地局（Ｎｏｄｅ−Ｂ）から、対応するダウンリンクスロットにアクイジションインジケータ（Ａｃｑｕｉｓｉｔｉｏｎ  Ｉｎｄｉｃａｔｏｒ）を受信しない場合、パワーランピング制御のかわりに、グループ・シグネチャ及びパーソナル・シグネチャの繰り返し回数を前記プリアンブル・パターンよりも多くしてなる別のプリアンブル・パターン（図１の（ｂ）のＰｒｅａｍｂｌｅ２参照）を送信する。
【００４９】
用意したグループ・シグネチャとパーソナル・シグネチャとを含むすべてのプリアンブルのパターン（図１の（ａ）、（ｂ）のＰｒｅａｍｂｌｅ１、２参照）の送信に対して、無線基地局からＡＩＣＨを受信しない場合、無線端末（ＵＥ）は、プリアンブルの送信パワーを上げるパワーランプ制御の代わりに、グループ・シグネチャの繰り返し回数をさらに増やしたグループ・シグネチャのみのプリアンブル・パターン（図１の（ｃ）のＰｒｅａｍｂｌｅ３）を送信する。
【００５０】
無線端末（ＵＥ）は、グループ・シグネチャのみを含むプリアンブルのパターン（図１の（ｃ）のＰｒｅａｍｂｌｅ３）の送信に対しても、無線基地局からＡＩＣＨを受信しない場合のプリアンブル再送時に、パワーがその最大許容値を超えない場合には、パワーランプ制御を行い、グループ・シグネチャのみを含むプリアンブルのパターン（図１の（ｃ）のＰｒｅａｍｂｌｅ３）の送信パワーを上げて再送する。あるいは、周波数を変更して再送してもよい。
【００５１】
本発明において、プリアンブル・パターンにおいて、グループ・シグネチャ（Ｇ）はパーソナル・シグネチャ（Ｐ）よりも多く含まれる（図１の（ａ）、（ｂ）のＰｒｅａｍｂｌｅ１、２では、グループ・シグネチャはパーソナル・シグネチャの２倍）。
【００５２】
本発明において、グループ・シグネチャとパーソナル・シグネチャとを含むプリアンブル・パターン（図１の（ａ）、（ｂ）のＰｒｅａｍｂｌｅ１、２参照）の送信に対して、無線基地局から、該グループ・シグネチャとパーソナル・シグネチャのプリアンブル・パターンの送信に対してアクイジションインジケータ（Ａｃｑｕｉｓｉｔｉｏｎ  Ｉｎｄｉｃａｔｏｒ）の肯定応答（ＡＣＫ）を受信した場合（図１の（ｇ）、（ｉ）のＡＩＣＨ１、ＡＩＣＨ２参照）、ランダムアクセス・メッセージを送信する。
【００５３】
グループ・シグネチャとパーソナル・シグネチャの両方を含むプリアンブル・パターン（図１の（ａ）、（ｂ）のＰｒｅａｍｂｌｅ１、２参照）の送信に対して、無線基地局からの、グループに対応するＡＩＣＨのみを受信した場合（図１の（ｈ）、（ｊ）のＡＩＣＨ１ａ、ＡＩＣＨ２ａ参照）、パーソナル・シグネチャ（Ｐ）のみを含むプリアンブル・パターン（図１の（ｄ）、（ｅ）のＰｒｅａｍｂｌｅ４、５参照）を送信する。この場合、先に送信したグループ・シグネチャとパーソナル・シグネチャとを含むプリアンブル・パターン（図１の（ａ）、（ｂ）のＰｒｅａｍｂｌｅ１、２参照）のグループ・シグネチャの個数と同数のパーソナル・シグネチャを含むプリアンブル・パターン（図１の（ｄ）、（ｅ）のＰｒｅａｍｂｌｅ４、５）を送信するようにしてもよい。
【００５４】
グループ・シグネチャのプリアンブルに対するＡＩＣＨの受信（図１の（ｈ）、（ｊ）のＡＩＣＨ１ａ、ＡＩＣＨ２ａ、ＡＩＣＨ３参照）に応して送信された前記パーソナル・シグネチャのみを含むプリアンブル・パターン（図１の（ｄ）、（ｅ）、（ｆ）のＰｒｅａｍｂｌｅ４、５、６）に対して、無線基地局からのＡＩＣＨのＡＣＫ応答（図１の（ｄｌ）、（ｍ）、（ｎ）のＡＩＣＨ４、５、６）を受信した場合、端末は、ランダムアクセス・メッセージを送信する。
【００５５】
このように、本発明においては、プリアンブル（Ｐｒｅａｍｂｌｅ１）の送信に対して無線基地局からのＡＩＣＨの応答がない場合のプリアンブルの再送時、該プリアンブル（Ｐｒｅａｍｂｌｅ１）の送信パワーを上げるパワーランプ制御の代わりに、プリアンブル（Ｐｒｅａｍｂｌｅ２、あるいはＰｒｅａｍｂｌｅ３）を送信する。そして、回線状態等が良好な場合に、グループ・シグネチャおよびパーソナル・シグネチャを両方処理し、回線状態が良くない場合には、グループ・シグネチャを処理し、グループ・シグネチャに対するＡＩＣＨを受信した場合、パーソナルのシグネチャの処理を行う。
【００５６】
かかる本発明によれば、端末への干渉を回避し、プリアンブルの衝突が発生したときでも、グループの特定までを容易化している。以下、実施例に即して説明する。
【実施例】
【００５７】
図１を参照すると、本発明の一実施例におけるプリアンブルと、ＡＩＣＨの手順が示されている。図１において、四角形内□にＧを記した部分はグループ・シグネチャの送信データであり、□の数だけ繰り返し送信される。四角形内□にＰを記した部分は、パーソナル・シグネチャの送信データであり、□の数だけ繰り返し送信される。また、プリアンブル１、２（図１（ａ）、（ｂ））において、グループ・シグネチャ部分が、パーソナル・シグネチャ部分の２倍の送信量としているのは、グループ・シグネチャの検出特性をパーソナル・シグネチャの検出特性よりも良くするためである。
【００５８】
本実施例では、グループ・シグネチャと、パーソナル・シグネチャのそれぞれに対して、３ＧＰＰ（３ｒｄ  Ｇｅｎｅｒａｔｉｏｎ  Ｐａｒｔｎｅｒｓｈｉｐ）仕様と同じく１６個のシグネチャ数が用意されている。グループ・シグネチャと、パーソナル・シグネチャとは、同じシグネチャを使うことはない（互いに異なる）。したがって、全体として、１６×１５＝２４０個の組み合わせとなる。特に制限されないが、図１に示すように、シグネチャがｉ＝０〜１５の例において、例えば４０９６チップ長のプリアンブルを想定した場合、該プリアンブルは、長さ１６チップのシグネチャを２５６回繰り返したパターンで構成される。
【００５９】
図１の（ａ）、（ｂ）のプリアンブル・パターンＰｒｅａｍｂｌｅ１、２は、グループ（Ｇ）とパーソナル（Ｐ）のシグネチャデータを含み、図１の（ｃ）のプリアンブル・パターンＰｒｅａｍｂｌｅ３は、グループ・シグネチャ（Ｇ）のみの繰り返しとされ、図１の（ｄ）、（ｅ）、（ｆ）のプリアンブル・パターンＰｒｅａｍｂｌｅ４、５、６は、パーソナル・シグネチャ（Ｐ）のみのの繰り返しとされる。
【００６０】
また、図１の（ｇ）、（ｉ）のＡＩＣＨ１、ＡＩＣＨ２は、それぞれ、図１の（ａ）、（ｂ）のプリアンブル・パターンに対して、グループ・シグネチャおよびパーソナル・シグネチャの両方に対応するＡＩＣＨを受信した場合に対応する。
【００６１】
図１の（ｈ）、（ｊ）のＡＩＣＨ１ａ、ＡＩＣＨ２ａは、図１の（ａ）、（ｂ）のプリアンブル・パターンに対して、グループ・シグネチャのみに対応するＡＩＣＨを受信した場合のパターンに対応している。
【００６２】
図１の（ｋ）のＡＩＣＨ３は、図１の（ｃ）のグループ・シグネチャ（Ｇ）のみのパターンに対するＡＩＣＨのパターンに対応している。
【００６３】
図１の（ｌ）、（ｍ）、（ｎ）のＡＩＣＨ４、５、６は、図１の（ｄ）、（ｅ）、（ｆ）のパーソナル・シグネチャのみのパターンのプリアンブルのＡＩＣＨにそれぞれ対応している。
【００６４】
図２は、本発明の一実施例の端末の動作を説明するフローチャートである。なお、図２には、無線端末（ＵＥ）と無線基地局（Ｎｏｄｅ−Ｂ）間の共通アップリンク物理チャネルにおけるランダムアクセス送信における無線端末側の手順が示されている。
【００６５】
無線端末（ＵＥ）は、タイミング１にて、プリアンブル１（図１の（ａ）のＰｒｅａｍｂｌｅ１参照）を送信する（ステップ１０１）。プリアンブル１は、２つのグループと１つのパーソナルシグネチャの繰り返しよりなる。
【００６６】
無線端末は、プリアンブル１の送信に対して、無線基地局からＡＩＣＨを受信すると（ステップ１０２のＹｅｓ分岐）、グループ・シグネチャのみに対応するＡＩＣＨ（図１の（ｈ）のＡＩＣＨ１ａ参照）であるか否かを判定する（ステップ１０４）。ステップ１０４の判定の結果、グループ・シグネチャのほかパーソナル・シグネチャに対応するＡＩＣＨ（図１の（ｇ）のＡＩＣＨ１参照）の場合、無線端末は、ランダムアクセス・メッセージを送信する（ステップ１０５）。
【００６７】
ステップ１０４の判定の結果、グループ・シグネチャのみのＡＩＣＨ（図１の（ｈ）のＡＩＣＨ１ａ参照）の場合、無線端末は、タイミング２で、プリアンブル４のパターン（図１（ｄ）のＰｒｅａｍｂｌｅ４参照）を送信する（ステップ１０６）。すなわち、無線端末は、パーソナル・シグネチャのみのプリアンブルを送信する。
【００６８】
パーソナル・シグネチャのものパターンのプリアンブル４の送信に対してＡＩＣＨを受信しない場合（ステップ１０７のＮｏ）、一旦停止する（ステップ１０８）。
【００６９】
一方、無線端末が、パーソナル・シグネチャのみのパターンのプリアンブル４に対応するＡＩＣＨ（図１の（ｌ）参照）を受信した場合には（ステップ１０７のＹｅｓ分岐）、グループとパーソナルの両方のシグネチャに対して、ともに、ＡＩＣＨのＡＣＫ応答を受信したことになるため、無線端末は、ランダムアクセス・メッセージ送信する（ステップ１０９）。
【００７０】
また、ステップ１０２において、ＡＩＣＨを受信しない場合、無線端末は、タイミング１で、プリアンブル２（図１の（ｂ）のＰｒｅａｍｂｌｅ２）を送信する（ステップ１０３）。プリアンブル２のパターンの単位は、グループ・シグネチャと、パーソナル・シグネチャのそれぞれの繰り返し数が、図１の（ａ）のＰｒｅａｍｂｌｅ１の２倍に増えている。
【００７１】
プリアンブル２の送信に対して、無線基地局からＡＩＣＨを受信すると（ステップ１１０のＹｅｓ分岐）、グループ・シグネチャに対応したＡＩＣＨ（図１の（ｊ）のＡＩＣＨ２ａ参照）の受信か否かを判定する（ステップ１１２）。パーソナル・シグネチャのプリアンブルに対応するＡＩＣＨも受信した場合（図１の（ｉ）のＡＩＣＨ２である場合）、ＲＡＣＨ（ランダムアクセス）メッセージを送信する（ステップ１１３）。
【００７２】
ステップ１１２の判定の結果、グループ・シグネチャのみの場合（図１の（ｊ）のＡIＣＨ２ａである場合）、無線端末は、タイミング２で、パーソナル・シグネチャのみのプリアンブル５（図１（ｅ）のＰｒｅａｍｂｌｅ５参照）を送信する（ステップ１１４）。プリアンブル５は、プリアンブル２のグループ・シグネチャ（Ｇ）のパターンに対応して、パーソナル・シグネチャ（Ｐ）が４スロット連続している。
【００７３】
パーソナル・シグネチャのプリアンブル５に対してＡＩＣＨを受信しない場合（ステップ１１５のＮＯ分岐）、一旦停止する（ステップ１１６）。一方、ＡＩＣＨ（図１の（ｍ）のＡＩＣＨ５参照）を受信した場合には（ステップ１１５のＹｅｓ分岐）、ＲＡＣＨメッセージ送信する（ステップ１１７）。
【００７４】
タイミング１のプリアンブル２の送信に対して、ステップ１１０で、無線基地局からＡＩＣＨを受信しない場合、無線端末は、タイミング１でプリアンブル３のパターン（図１（ｃ）のＰｒｅａｍｂｌｅ３参照）を送信する（ステップ１１１）。プリアンブル３は、全てグループ・シグネチャのデータである。
【００７５】
プリアンブル３の送信に対して、ＡＩＣＨを受信すると（ステップ１１８のＹｅｓ分岐）、無線端末は、タイミング２でプリアンブル６（図１（ｆ）のＰｒｅａｍｂｌｅ６参照）を送信する（ステップ１２０）。プリアンブル６のパターンは、全てのパーソナル・シグネチャである。
【００７６】
プリアンブル６の送信に対してＡＩＣＨ（図１の（ｎ）参照）を受信した場合（ステップ１２３のＹｅｓ分岐）、無線端末は、ランダムアクセス・メッセージ送信し（ステップ１２４）、ＡＩＣＨを受信しない場合（ステップ１２３のＮｏ分岐）、一旦停止する（ステップ１２５）。
【００７７】
また、ステップ１１８でＡＩＣＨを受信しない場合、無線端末は、プリアンブルのパワーが最大許容値（最大値）未満の場合には（ステップ１１９のＮＯ分岐）、パワーを上げ、すなわち、無線端末は、ここではじめてパワーランプ制御を行い、タイミング３でプリアンブル３を送信する（ステッ１２１）。プリアンブルのパワーが最大許容値以上の場合、一旦停止する（ステップ１２２）。
【００７８】
このように、本実施例によれば、無線端末は、プリアンブル１のパターン（図１（ａ））で送信する。プリアンブル１のパターンに対するＡＣＫ／ＮＡＣＫはＡＩＣＨ１パターン（図１（ｇ））となるが、伝播環境が十分良好でない場合であって、無線基地局（Node-B）の受信レベルが十分高くない場合には、パーソナル・シグネチャをとれないが、グループ・シグネチャはとれることがあるため、ＡＩＣＨ１ａパターン（図１（ｈ）となる。すなわち、ＡＩＣＨ１ａパターンは、グループ・シグネチャに対する、アクセスインジケータのＡＣＫ（肯定応答）、ＮＡＣＫ（否定応答）である。
【００７９】
プリアンブル４、５、６のパターン（図１（ｄ）、（ｅ）、（ｆ））は、それぞれ、ＡＩＣＨ１ａ、ＡＩＣＨ２ａ、ＡＩＣＨ３パターンでＡＣＫが返ってきたときに、パーソナル・シグネチャのために無線端末から送信される。
【００８０】
本実施例において、まず、プリアンブル１（図１（ａ））を送信し、ＡＩＣＨを受信しない場合、プリアンブル２（図１（ｂ））を送信し、ＡＩＣＨを受信しない場合、プリアンブル３（図１（ｃ））を送信する。プリアンブル１、２、３（図１（ａ）、（ｂ）、（ｃ））は、同じタイミング（Ｔｉｍｉｎｇ１）で送信されるが、プリアンブル４、５、６（図１（ｄ）、（ｅ）、（ｆ））は、異なるタイミング２で送信される。
【００８１】
本実施例においては、パーソナル・シグネチャのみを送信する際は、無線基地局で区別がつくように、グループ・シグネチャの送信に対して干渉とならないように、タイミングを分ける。
【００８２】
また、出力パワーが許容最大値を超え、これ以上、プリアンブル送信の繰り返し回数を増やせなくなった場合は、さらに異なるタイミング３で、プリアンブル３のパターンをパワーを上げて送信する。
【００８３】
図３は、無線基地局側の動作を説明するフローチャートである。グループ・シグネチャの相関値Ｃ１（ｋ、ｓ１）が、予め定められた閾値１以上のときに、グループ・シグネチャが検出されたものと判断する。プリアンブル１（図１（ａ））、及びプリアンブル２（図１（ｂ））のパターンにおいて、グループ・シグネチャとパーソナル・シグネチャの両方が検出された場合（図３のステップ２０９のｓ１＝ｓ２の判定のＹｅｓ）は、グループ・シグネチャのみ特定できたものとみなす。これはグループ・シグネチャとパーソナル・シグネチャが同一になることはないためである。
【００８４】
図３を参照して、タイミング１（図２のＴｉｍｉｎｇ１に対応）で、相関値Ｃ１（ｋ、ｓ１）（ｋ＝０、１、２）（ｓ１＝０、１〜１５）、相関値Ｃ２（ｋ、ｓ２）（ｋ＝０、１、２）（ｓ２＝０、１〜１５）を、それぞれ計算する（ステップ２０１）。相関値Ｃ１（ｋ、ｓ）、相関値Ｃ２（ｋ、ｓ）はそれぞれ次式（１）、（２）で与えられる。
【００８５】
2007266733.tif 000003
2007266733.tif 000004
【００８６】
Ｃ１（ｋ、ｓ）（ｋ＝０、１、２）は、Ｐｒｅａｍｂｌｅ１、２、３（図１（ａ）、（ｂ）、（ｃ）参照）のグループ・シグネチャ部分に対する相関値、Ｃ２（ｋ、ｓ）（ｋ＝０、１）は、パーソナル・シグネチャ部分に対する相関値である。ｃｏｒｒ（ｉ、ｓ）は受信信号列ｉとシグネチャパターンｓとの相互相関である。式（１）、（２）において、中括弧｛｝の中は、図１におけるｉ＝０〜７の計算に対応する。図１に示したように、シグネチャが０〜１５の例では、１６チップで１つのｃｏｒｒ（ｉ、ｓ）を計算する。またＮは受信信号列の数であり、４０９６チップのプリアンブルを想定すると、Ｎは４０９６／１６＝２５６となる。
【００８７】
次に、ステップＳ２０１で計算された相関値Ｃ１（ｋ、ｓ１）の絶対値を大きい順に１６個抽出する（ステップ２０２）。
【００８８】
相関値Ｃ１の絶対値│Ｃ１（ｋ、ｓ１）│が閾値１よりも大であり（ステップ２０３のＹｅｓ分岐）、ｋが２と異なる場合（ステップ２０５のＹｅｓ分岐）には、パーソナル・シグネチャ部分の相関値の絶対値│Ｃ２（ｋ、ｓ２）│が予め定められた閾値２よりも大のとき（ステップ２０７のＹｅｓ分岐）、且つ、ｓ１≠ｓ２の場合（ステップ２０９のＮｏ分岐）、グループ・シグネチャ及びパーソナル・シグネチャの両方と判定し、グループとパーソナルの両方のＡＩＣＨとして、ｋ＝０のとき、ＡＩＣＨ１（図１（ｇ）参照）を送信し、ｋ＝１のとき、ＡＩＣＨ２（図１（ｉ）参照）を送信する。ｓ１＝ｓ２の場合（ステップ２０９のＹｅｓ分岐）、グループ・シグネチャ及びパーソナル・シグネチャが同一であるため、ステップ２０３に移行する。
【００８９】
ステップ２０３で相関値Ｃ１の絶対値│Ｃ１（ｋ、ｓ１）│が閾値１より小のとき（ステップ２０３のＮｏ分岐）、一旦停止する（ステップ２０４）。
【００９０】
ステップ２０５で、ｋ＝２の場合、グループ・シグネチャのみと特定し、ＡＩＣＨ３（図１（ｋ）参照）を送信し（ステップＳ２０６）、ステップＳ２１１に移行する。
【００９１】
ステップ２０５で、ｋ＝２でない場合、ステップ２０７に移行する。ステップ２０７の判定で、相関値Ｃ２の絶対値│Ｃ２（ｋ、ｓ２）│が閾値２以下のとき（ステップ２０７のＮｏ分岐）、グループ・シグネチャのみと特定し、ｋ＝０のとき、プリアンブル１（図１（ａ）参照）のアップリンクスロットに対応するダウンリンクスロットに、ＡＩＣＨ１ａ（図１（ｈ）参照）を送信し、ｋ＝１のとき、プリアンブル２（図１（ｂ）参照）に対応するダウンリンクスロットにＡＩＣＨ２ａ（図１（ｊ）参照）を送信し、ステップＳ２１１に移行する。
【００９２】
ステップ２１１では、現在のｋをｋ２にセーブしておき、ｋに対応して用意されている状態フラグｆｌａｇ［ｋ］＝１とする（プリアンブルｋに対してグループシグネチャのみ特定してＡＩＣＨを送信したことを記録）。なお、フラグ配列（レジスタ）は無線基地局内のコンピュータに用意される。
【００９３】
タイミング２（図２のタイミング２に対応）で、グループ・シグネチャの相関値Ｃ１（ｋ、ｓ）を計算する（ステップ２１２）。相関値Ｃ１の絶対値│Ｃ１（ｋ、ｓ）│が閾値３より大のとき（ステップ２１３のＹｅｓ分岐）、パーソナル・シグネチャと特定する。ｋ＝０の場合、図１（ｄ）のパターンのパーソナル・シグネチャに対するＡＩＣＨとして、ＡＩＣＨ４（図１（ｌ）参照）を送信し、ｋ＝１の場合、図１（ｅ）のパターンのパーソナル・シグネチャに対するＡＩＣＨ５（図１（ｍ）参照）を送信し、ｋ＝２の場合、図１（ｆ）のパターンのパーソナル・シグネチャに対するＡＩＣＨ６（図１（ｎ）参照）を送信する。ステップ２１３で、相関値Ｃ１の絶対値│Ｃ１（ｋ、ｓ）│が閾値３以下のとき、一旦停止する（ステップ２１４）。
【００９４】
本実施例によれば、シグネチャ数が増えたことにより、プリアンブルアクセスの衝突が発生し難くしている。また、プリアンブルのパワーランピングのかわりに繰り返し数の増加で制御するため、他ユーザに対する干渉を抑えることができる。
【００９５】
本発明の他の実施例として、プリアンブル４、５、６の送信時に、タイミングを変更するかわりに、周波数を変更するようにしてもよい。プリアンブル６のパワーレベルを上げて送信する時、タイミングではなく、周波数を変更してもよい。あるいは、プリアンブル１、２、３、４、５、６それぞれに対して、タイミングを変えるようにしてもよい。
【００９６】
なお、本発明は、図２、図３を参照して動作を説明した端末、無線基地局をその発明の範囲に含むことは勿論である。
【００９７】
以上、本発明を上記実施例に即して説明したが、本発明は上記実施例の構成にのみ制限されるものでなく、本発明の範囲内で当業者であればなし得るであろう各種変形、修正を含むことは勿論である。
【図面の簡単な説明】
【００９８】
【図１】本発明の一実施例のＵＥの動作の例を説明する図であり、プリアンブルのパターンと対応するＡＩＣＨのパターンが示されている。
【図２】本発明の一実施例におけるＵＥの動作を示す流れ図である。
【図３】本発明の一実施例における無線基地局側の動作を示す流れ図である。
【符号の説明】
【００９９】
Ｇ  グループ・シグネチャの送信データ
Ｐ  パーソナル・シグネチャの送信データ
１０１〜１２５、２０１〜２１５  ステップ
【図１】
2007266733.tif 000005
【図２】
2007266733.tif 000006
【図３】
2007266733.tif 000007